(57)【要約】【課題】  セパレータにより転動体の循環経路上の経路長変動による速度変動を十分に吸収して、転動体同士の押し合いを抑制し、これにより、転動体のスムースな公転を確保して作動性の向上を図る。【解決手段】  互いに隣り合う転動体６間に介装されたセパレータ本体３１及び該セパレータ本体３１の転動体６の転動体転動溝の溝幅方向の端部に一体に設けられた腕部３２を有するセパレータ３０を備えた直動案内軸受装置であって、セパレータ３０のセパレータ本体３１を転動体転動溝の溝幅方向と略平行な方向に沿って分割し、該分割部分３３をそれぞれ前記腕部３２に連結する。【選択図】      図１
2006017252.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝の間に挿入された転動体の転動を介して軸方向に沿って相対移動可能に前記案内レールに跨架されたスライダと、互いに隣り合う前記転動体間に介装されたセパレータ本体及び該セパレータ本体の前記転動体転動溝の溝幅方向の端部に一体に設けられた腕部を有するセパレータとを備えた直動案内軸受装置であって、
前記セパレータの前記セパレータ本体を前記転動体転動溝の溝幅方向と略平行な方向に沿って分割し、該分割部分をそれぞれ前記腕部に連結したことを特徴とする直動案内軸受装置。
【請求項２】
前記腕部に肉抜き部を設けたことを特徴とする請求項１に記載した直動案内軸受装置。
【請求項３】
前記腕部を環状に形成したことを特徴とする請求項２に記載した直動案内軸受装置。
【発明の詳細な説明】
【技術分野】
【０００１】
本発明は、例えば工作機械や射出成形機等の産業機械分野等に用いられる直動案内軸受装置に関する。
【背景技術】
【０００２】
従来のこの種の直動案内軸受装置としては、例えば図１１に示すものが知られている。  この直動案内軸受装置は、軸方向に延びる案内レール１と、該案内レール１上に軸方向に相対移動可能に跨架されたスライダ２とを備えており、案内レール１の幅方向の両側面にはそれぞれ軸方向に延びる転動体転動溝３が片側二条列ずつ、合計４条列形成されておいる。
【０００３】
スライダ２のスライダ本体２Ａには、その両袖部４の内側面にそれぞれ転動体転動溝３に対向する転動体転動溝５が形成されており、これらの両転動体転動溝３，５によって負荷軌道が形成されている。
負荷軌道には転動体としての多数の円筒ころ６が転動自在に装填され、これらの円筒ころ６の転動を介してスライダ２が案内レール１上を軸方向に沿って相対移動できるようになっている。
【０００４】
この移動につれて、案内レール１とスライダ２との間に介在する円筒ころ６は転動してスライダ２の軸方向の端部に移動するが、スライダ２を軸方向に継続移動させていくためには、これらの円筒ころ６を無限に循環させる必要がある。
このため、スライダ本体２Ａの袖部４内に軸方向に貫通する孔７を形成して該孔７に内部が円筒ころ６の通路（転動体通路）８ａとされた循環スリーブ８を嵌め込むと共に、スライダ本体２Ａの軸方向の両端にそれぞれエンドキャップ９をねじ等を介して固定し、このエンドキャップ９に上記負荷軌道と上記転動体通路８ａとを連通する円弧状に湾曲した方向転換路（図示せず）を形成することにより、円筒ころ６の無限循環軌道を形成している。
【０００５】
ところで、無限循環する多数の円筒ころ６はころ軸を中心に同一方向に回転するため、互いに隣り合う円筒ころ６同士が接触した場合、その接触部分のころ速度の向きは互いに逆方向になり、それにより発生する力は円筒ころ６の円滑な転動を妨げることになる。
このような事情から、従来においては、互いに隣り合う円筒ころ６間にセパレータ２０を介装することで、円筒ころ同士の直接接触を防止し、これにより、スライダ２の走行を滑らかにすると共に、走行中の騒音低減を図るようにしている。
【０００６】
セパレータ２０は、図１２に示すように、互いに隣り合う円筒ころ６間に介装されるセパレータ本体２１と、該セパレータ本体２１の転動体転動溝３，５の溝幅方向の両端部に一体に設けられて円筒ころ６の軸方向の両端面を挟むように配置された腕部２２とを備えており、セパレータ本体２１の円筒ころ６の外周面に対向する部分には該円筒ころ６の外周形状に応じた凹曲面２１ａが形成されている。
【０００７】
なお、図１１において符号２３は、前記負荷軌道に沿って配置されて軸方向の両端部がエンドキャップ９に挿入されたセパレータ案内部材としての保持器である。
そして、両転動体転動溝３，５間の負荷軌道、方向転換路及び転動体通路８ａを円筒ころ６が循環する際には、セパレータ２０の腕部２２は、前記保持器２３、前記転動体通路８ａ及び前記方向転換路にそれぞれ設けられた案内溝２４によって円筒ころ６の循環方向に沿って案内されるようになっている。
【発明の開示】
【発明が解決しようとする課題】
【０００８】
上記従来の直動案内軸受装置においては、円筒ころ６の公転速度の違い等で円筒ころ６同士の押し合いが生じた場合、セパレータ２０のセパレータ本体２１は円筒ころ６との接触部における該セパレータ本体２１の材料自身の弾力範囲内でしか弾性変形しないため、セパレータ２０は円筒ころ６の循環経路上の経路長変動による速度変動を十分に吸収できず、そのため、円筒ころ６同士の押し合いが生じて円筒ころ６の公転がスムースに行えなくなり、作動性に問題が生じる可能性がある。
本発明はこのような不都合を解消するためになされたものであり、セパレータにより転動体の循環経路上の経路長変動による速度変動を十分に吸収して、転動体同士の押し合いを抑制し、これにより、転動体のスムースな公転を確保して作動性の向上を図ることができる直動案内軸受装置を提供することを目的とする。
【課題を解決するための手段】
【０００９】
上記目的を達成するために、請求項１に係る発明は、軸方向に延びる転動体転動溝を有する案内レールと、該案内レールの前記転動体転動溝に対向する転動体転動溝を有し、これらの両転動体転動溝の間に挿入された転動体の転動を介して軸方向に沿って相対移動可能に前記案内レールに跨架されたスライダと、互いに隣り合う前記転動体間に介装されたセパレータ本体及び該セパレータ本体の前記転動体転動溝の溝幅方向の端部に一体に設けられた腕部を有するセパレータとを備えた直動案内軸受装置であって、
前記セパレータの前記セパレータ本体を前記転動体転動溝の溝幅方向と略平行な方向に沿って分割し、該分割部分をそれぞれ前記腕部に連結したことを特徴とする。
請求項２に係る発明は、請求項１において、前記腕部に肉抜き部を設けたことを特徴とする。
請求項３に係る発明は、請求項２において、前記腕部を環状に形成したことを特徴とする。
【発明の効果】
【００１０】
本発明によれば、セパレータのセパレータ本体を転動体の転動体転動溝の溝幅方向と略平行な方向に沿って分割し、該分割部分をそれぞれ腕部に連結することで、セパレータ本体の前記分割部分を互いに離れる方向に弾性変形し易くすることができ、即ち、セパレータ本体を転動体の循環方向及び転動体転動溝の溝幅方向に対して略垂直方向に弾性変形し易くすることができる。
【００１１】
これにより、転動体の循環経路上の経路長変動による速度変動を十分に吸収して、転動体同士の押し合いを抑制することができ、この結果、転動体のスムースな公転が確保されて作動性の向上を図ることができる。
また、セパレータ本体の各分割部分の間の空間が潤滑剤の溜まり部となるため、潤滑性能が向上して寿命延長を図ることができると共に、潤滑剤の吸収によるセパレータ本体の膨潤を抑制することも可能になる。
【００１２】
更に、腕部に肉抜き部を設けるか、或いは腕部を環状に形成することで、セパレータ本体を転動体の循環方向及び転動体転動溝の溝幅方向に対して略垂直方向により弾性変形し易くすることができると共に、肉抜き部の肉抜き量或いは環状部の板厚を調整してセパレータ本体の弾性力を調整することができ、しかも腕部に潤滑剤の溜まり部を設けることができるので、潤滑性能の更なる向上を図ることができる。
【発明を実施するための最良の形態】
【００１３】
以下、本発明の実施の形態の一例を図を参照して説明する。図１は本発明の実施の形態の一例である直動案内軸受装置に用いるセパレータを説明するための斜視図、図２（ａ）は図１のセパレータを円筒ころの軸方向端面側から見た図、図２（ｂ）は図２（ａ）の矢印Ａ方向から見た図、図２（ｃ）は図２（ｂ）の矢印Ｂ方向から見た図である。なお、この実施の形態では、既に図１１で説明した従来の直動案内軸受装置との相違点についてのみ説明し、図１１と重複する部材や相当する部材等については各図に同一符号を付して、その説明を省略する。
【００１４】
本発明の実施の形態の一例である直動案内軸受装置は、図１及び図２に示すように、セパレータ３０が、互いに隣り合う円筒ころ６間に介装されるセパレータ本体３１と、該セパレータ本体３１の転動体転動溝３，５の溝幅方向の両端部に一体に設けられて円筒ころ６の軸方向の両端面を挟むように配置された環状の腕部３２とを備えており、セパレータ本体３１の円筒ころ６の外周面に対向する部分には該円筒ころ６の外周形状に応じた凹曲面３１ａが形成されている。また、セパレータ本体３１は転動体転動溝３，５の溝幅方向と略平行な方向に沿って２つに分割されており、２つの分割部分３３はそれぞれ環状の腕部３２に連結されている。
【００１５】
このようにこの実施の形態では、セパレータ３０のセパレータ本体３１を円筒ころ６の転動体転動溝３，５の溝幅方向と略平行な方向に沿って２つに分割して、該２つの分割部分３３をそれぞれ環状の腕部３２に連結しているので、セパレータ本体３１を円筒ころ６の循環方向及び転動体転動溝３，５の溝幅方向に対して略垂直方向（分割部分３３が互いに離れる方向）に弾性変形し易くすることができる。
これにより、円筒ころ６の循環経路上の経路長変動による速度変動を十分に吸収して、円筒ころ６同士の押し合いを抑制することができ、この結果、円筒ころ６のスムースな公転が確保されて作動性の向上を図ることができる。
【００１６】
また、セパレータ本体３１の各分割部分３３の間の空間３４及び腕部３２の内径空間を潤滑剤の溜まり部とすることができるため、円筒ころ６の転動面（外周面）及び端面の潤滑が良好に行われて寿命延長を図ることができると共に、潤滑剤の吸収によるセパレータ本体３１の膨潤を抑制することができる。
更に、腕部３２を環状に形成しているので、セパレータ本体３１の分割部分３３をより弾性変形し易くすることができると共に、環状部の板厚を調整することで、分割部分３３の弾性力を容易に調整することができる。
【００１７】
図３及び図４はセパレータ本体３１の各分割部分３３の間の空間３４をより広くとって潤滑剤の溜まり量が多くなるようにした例で、図５及び図６は腕部３２の環状部の肉厚を薄くしてセパレータ本体３１の分割部分３３をより弾性変形し易くした例である。また、図７及び図８は図５及び図６の例に対してセパレータ本体３１の各分割部分３３の間の空間３４をより広くとって潤滑剤の溜まり量が多くなるようにした例である。
【００１８】
なお、本発明の直動案内軸受装置は上記実施の形態に限定されるものではなく、本発明の要旨を逸脱しない範囲において適宜変更可能である。
例えば、上記実施の形態では、転動体として円筒ころ６を用いた直動案内軸受装置に本発明を適用した場合を例に採ったが、これに代えて、図９及び図１０に示すように、転動体としてボールを用いた直動案内軸受装置に本発明を適用しても、上記同様の作用効果を得ることができる。
【００１９】
図９に示すセパレータ４０は、互いに隣り合うボールＢ間に介装されるセパレータ本体４１と、該セパレータ本体４１のボールＢの転動体転動溝（図示せず）の溝幅方向の両端部に一体に設けられてボールＢの両側部を挟むように配置された環状の腕部４２とを備えており、セパレータ本体４１のボールＢの外周面に対向する部分には該ボールＢの外周形状に応じた凹球面４１ａが形成されている。また、セパレータ本体４１はボールＢの転動体転動溝の溝幅方向と略平行な方向に沿って２つに分割されており、２つの分割部分４３がそれぞれ環状の腕部４２に連結されている。
【００２０】
図１０に示すセパレータ５０は、互いに隣り合うボールＢ間に介装されるセパレータ本体５１と、該セパレータ本体５１のボールＢの転動体転動溝（図示せず）の溝幅方向の両端部に一体に設けられてボールＢの両側部を挟むように配置された環状の腕部５２とを備えており、セパレータ本体５１のボールＢの外周面に対向する部分には該ボールＢの外周形状に応じた凹球面５１ａが形成されている。また、セパレータ本体５１はボールＢの転動体転動溝の溝幅方向と略平行な方向に沿ってボール中心部から偏心した位置で２つに分割されており、２つの分割部分５３，５４がそれぞれ環状の腕部５２に連結されている。
【００２１】
また、上記各実施の形態では、腕部を環状に形成して環状部の肉厚を略一定とした場合を例に採ったが、必ずしもこのようにする必要はなく、腕部に所定形状の肉抜き部を設けて、肉厚が周方向で変わるようにしてもよい。この場合、肉抜き部の量を調整することで、セパレータ本体の分割部分の弾性力を容易に調整することができる。
【図面の簡単な説明】
【００２２】
【図１】本発明の実施の形態の一例である直動案内軸受装置に用いるセパレータを説明するための斜視図である。
【図２】（ａ）は図１のセパレータを円筒ころの軸方向端面側から見た図、（ｂ）は（ａ）の矢印Ａ方向から見た図、（ｃ）は（ｂ）の矢印Ｂ方向から見た図である。
【図３】セパレータの変形例を説明するための斜視図である。
【図４】（ａ）は図３のセパレータを円筒ころの軸方向端面側から見た図、（ｂ）は（ａ）の矢印Ａ方向から見た図、（ｃ）は（ｂ）の矢印Ｂ方向から見た図である。
【図５】セパレータの変形例を説明するための斜視図である。
【図６】（ａ）は図５のセパレータを円筒ころの軸方向端面側から見た図、（ｂ）は（ａ）の矢印Ａ方向から見た図、（ｃ）は（ｂ）の矢印Ｂ方向から見た図である。
【図７】セパレータの変形例を説明するための斜視図である。
【図８】（ａ）は図７のセパレータを円筒ころの軸方向端面側から見た図、（ｂ）は（ａ）の矢印Ａ方向から見た図、（ｃ）は（ｂ）の矢印Ｂ方向から見た図である。
【図９】本発明の他の実施の形態である直動案内軸受装置に用いるセパレータを説明するための図で、（ａ）はセパレータをボールの転動体転動溝の溝幅方向から見た図、（ｂ）は（ａ）の矢印Ａ方向から見た図、（ｃ）は（ｂ）の矢印Ｂ方向から見た図である。
【図１０】セパレータの変形例を説明するための図で、（ａ）はセパレータをボールの転動体転動溝の溝幅方向から見た図、（ｂ）は（ａ）の矢印Ａ方向から見た図、（ｃ）は（ｂ）の矢印Ｂ方向から見た図である。
【図１１】直動案内軸受装置の一例を説明するための一部を破断した説明図である。
【図１２】従来のセパレータを説明するための図で、（ａ）はセパレータを円筒ころの軸方向端面側から見た図、（ｂ）は（ａ）の矢印Ａ方向から見た図、（ｃ）は（ｂ）の矢印Ｂ方向から見た図である。
【符号の説明】
【００２３】
１  案内レール
２  スライダ
２Ａ  スライダ本体
３  転動体転動溝（案内レール側）
５  転動体転動溝（スライダ側）
６  円筒ころ（転動体）
３０  セパレータ
３１  セパレータ本体
３２  腕部
３３  分割部分
【図１】
2006017252.tif 000003
【図２】
2006017252.tif 000004
【図３】
2006017252.tif 000005
【図４】
2006017252.tif 000006
【図５】
2006017252.tif 000007
【図６】
2006017252.tif 000008
【図７】
2006017252.tif 000009
【図８】
2006017252.tif 000010
【図９】
2006017252.tif 000011
【図１０】
2006017252.tif 000012
【図１１】
2006017252.tif 000013
【図１２】
2006017252.tif 000014